Podtech/llm-jp-corpus-v4-ja_patent huggingface dataset:
(57)【要約】【課題】  洗面化粧台で顔を洗う時に顔から外したメガネを折り畳むことなく簡便に掛置きできるメガネ掛置具を提供する。【解決手段】  メガネ６のブリッジ部７を掛置きする凹形の溝３を持つＬ字形をした台２を後部の吸盤１で洗面化粧台の鏡面に固定できる構造とした。溝３の下部左右両側に斜面４を設け、メガネ６の鼻当てパッド部８を支持する形状を特徴とする。【選択図】図１
0003129261.tif 000002
【実用新案登録請求の範囲】
【請求項１】
メガネ６のブリッジ部７を掛置きする凹形の溝３を持つＬ字形をした台２において、溝３の下部左右両側に斜面４を設け、メガネ６の鼻当てパッド部８を支持する形状を特徴とするメガネ掛置具。
【考案の詳細な説明】
【技術分野】
【０００１】  この考案は、洗面化粧台で顔を洗う時に顔から外したメガネを掛置できるメガネ掛置具に関するものである。
【背景技術】
【０００２】  従来のメガネ掛置具には、フック形状でメガネのブリッジ部を支持する手段でメガネを掛置きできるものがある（例えば、特許文献１参照）。
【特許文献１】  特開平０７−２３４３８６号  公報
【考案の開示】
【考案が解決しようとする課題】
【０００３】  上記のメガネ掛置具ではメガネのブリッジ部のみを支持する構造のため、メガネを掛置した時、ブリッジ部が支点となり振り子のようにメガネのつる部が前後に揺れやすく静止しにくいという問題点があった。また、メガネを掛置きする時メガネを壁面に接触させてしまう危険があった。
本考案は、この問題点を解決し、洗面化粧台で顔を洗う時に顔から外したメガネを折り畳むことなく簡便に掛置きできるメガネ掛置具を提供するものである。
【課題を解決するための手段】
【０００４】  いまこれを、図面について説明すれば、メガネ６のブリッジ部７を掛置きする凹形の溝３を持つＬ字形をした台２を後部の吸盤１で洗面化粧台の鏡面に固定できる構造とした。さらに溝３の下部左右両側に斜面４を設け、メガネ６の鼻当てパッド部８を支持する形状とした。
【考案の効果】
【０００５】  メガネ６のブリッジ部７に加えて鼻当てパッド部８も台２により支持できるようになるため、台２との接触箇所が１箇所から３箇所に増えることになり、メガネ６を掛置した時、ブリッジ部７が支点となり振り子のようにメガネ６のつる部９が前後に揺れやすく静止しにくいという問題点が解決される。また、メガネ６を掛置きする時、台２の正面部５にメガネ６のブリッジ部７を当て溝３まで滑らせることでメガネ６を鏡面に接触させることなく掛置きができる。
【考案を実施するための最良の形態】
【０００６】  以下、本考案の実施例について説明する。
（イ）  メガネ６の鼻当てパッド部８の取付け間隔はさまざまであるため、弾力性のある      ウレタンスポンジで台２を製作する。これにより頭部等の体の一部が台２に当たっ      ても鏡面の破損を防止できる。
（ロ）  台２の後部に吸盤１の付いた板を接着する。これにより洗面化粧台の鏡面の任意      の位置に固定できる。
これを使用するときは、洗面化粧台の前に立ち、目の高さで鏡面に吸盤１を押付け固定します。次に両手でメガネ６の両端を持ち顔から外し、台２の正面部５にメガネ６のブリッジ部７を当て溝３まで滑らせるようにして、メガネ６の鼻当てパッド部８を台２の斜面４の上に載せます。メガネ６を持っている両手の指をゆっくり開くとメガネ６のつる部９が下にさがり、メガネ６が上を向いた状態で安定します。メガネ６を取り出すときは、両手でメガネ６の両端を持ち、正面向きに戻した後、溝３の上方に引き上げればよいです。
【図面の簡単な説明】
【０００７】
【図１】  本考案にメガネを掛けた状態を示した斜視図である。
【符号の説明】
【０００８】  １  吸盤
２  台
３  溝
４  斜面
５  台の正面部
６  メガネ
７  メガネのブリッジ部
８  メガネの鼻当てパッド部
９  メガネの耳掛けつる部
【図１】
0003129261.tif 000003
(57)【要約】【課題】使用者に菓子と同様の楽しみを与えつつ、十分な歯磨き効果を発揮する歯磨き体を提供する。【解決手段】本体部３の表面に多数の突起５、５・・・を備えさせてなり、該本体部と該突起とをキャンディにより一体的に形成したことを特徴とする歯磨き体。本体部３の表面に多数の突起５、５・・・を備えさせてなり、該本体部をチューインガムにより形成し、該突起をキャンディにより形成したことを特徴とする歯磨き体。本体部は、例えば、球状体ないし略回転楕円体とする。【選択図】図１
0003129283.tif 000002
【実用新案登録請求の範囲】
【請求項１】
本体部の表面に多数の突起を備えさせてなり、該本体部と該突起とをキャンディにより一体的に形成したことを特徴とする歯磨き体。
【請求項２】
本体部の表面に多数の突起を備えさせてなり、該本体部をチューインガムにより形成し、該突起をキャンディにより形成したことを特徴とする歯磨き体。
【考案の詳細な説明】
【技術分野】
【０００１】
本考案は、歯磨き体に関するものであり、特に歯で噛み又は口の中で転動させることにより歯磨き効果を得ることができるようにした歯磨き体に係るものである。
【背景技術】
【０００２】
実開昭６２−１３６５３５号公報は、チューインガムベースに重質炭酸カルシウム等の歯磨き用研磨剤を加えてなるチューインガム状歯磨きを開示している。
【０００３】
上記従来のチューインガム状歯磨きは、菓子としてのチューインガムと同様に歯で噛むことにより、歯や歯茎に付着した汚れを落とすことを意図したものである。  
【特許文献１】実開昭６２−１３６５３５号公報
【考案の開示】
【考案が解決しようとする課題】
【０００４】
しかるに、上記従来のチューインガム状歯磨きは、歯磨き用研磨剤を含んではいるものの、必ずしも十分な歯磨き効果を発揮し得るものではない。けだし、チューインガム状歯磨きに含まれる歯磨き用研磨剤の粒子が極めて細かいため、該チューインガム状歯磨きは十分なブラッシング効果を有し得ないからである。
【０００５】
本考案は、上記従来のチューインガム状歯磨きにおける上述の如き問題を解決し、使用者に菓子と同様の楽しみを与えつつ、十分な歯磨き効果を発揮する歯磨き体を提供しようとしてなされたものである。
【課題を解決するための手段】
【０００６】
上記課題を解決するために、本考案は下記の歯磨き体を提供する。
【０００７】
（１）本体部の表面に多数の突起を備えさせてなり、該本体部と該突起とをキャンディにより一体的に形成したことを特徴とする歯磨き体（請求項１）。
【０００８】
（２）本体部の表面に多数の突起を備えさせてなり、該本体部をチューインガムにより形成し、該突起をキャンディにより形成したことを特徴とする歯磨き体（請求項２）。
【考案の効果】
【０００９】
［請求項１の考案］
請求項１の考案による歯磨き体は、次のような優れた効果を発揮する。
【００１０】
（ａ）歯磨き体を歯で噛み又は口の中で転動させることにより、歯磨きを行なうことができる。すなわち、本体部の表面に備えさせた多数の突起が歯ブラシと同様の効果を発揮するものであり、歯の表面の汚れを落とし、歯茎をマッサージする。
【００１１】
（ｂ）歯磨き体は、本体部と突起とがキャンディにより一体的に形成されているため、キャンディと同様に、時と場所を選ばす、かつ、味と香りとを楽しみながら手軽に使用することができる。
【００１２】
（ｃ）歯磨き体を使用することにより、口臭が予防され、爽快感が得られる。
【００１３】
（ｄ）歯磨き体を日常的に使用することにより、使用者に歯の健康を常に意識させることができる。
【００１４】
［請求項２の考案］
請求項２の考案による歯磨き体は、本体部をチューインガムにより形成し、多数の突起をキャンディにより形成しているため、歯磨き体を歯で噛み又は口の中で転動させることにより、やがて、突起が溶け、本体部のみが残る。以後、本体部を従来のチューインガムと同様に楽しむことができる。
【００１５】
その他の点においては、請求項２の考案は、前記請求項１の考案と同様の効果をはっきする。
【考案を実施するための最良の形態】
【００１６】
符号１に示すものは、本考案による歯磨き体である。
【００１７】
歯磨き体１は、本体部３の表面に多数の突起５、５・・・を備えさせてなるものである。
【００１８】
本体部３は、一例として、直径約１０ｍｍの球状体とし、各突起５は長さ約２〜３ｍｍとする。なお、本体部３は球状体に限定されるものではなく、例えば略回転楕円体等、如何なる形状を有するものであってもよい。
【００１９】
図１に示す事例においては、本体部３と突起５、５・・・とをキャンディにより一体的に形成している。
【００２０】
本体部３と突起５、５・・・とを形成するキャンディは、弾力があり、やや堅く、簡単には溶けないものであることが望ましい。
【００２１】
本体部３と突起５、５・・・とを形成するキャンディとには、好ましくはキシリトール等の歯に良いとされる成分を含ませるものとする。
【００２２】
因みに、図１に示す事例における歯磨き体は、歯で噛み又は口の中で転動させることにより、やがて、すべてが溶けてなくなる。
【００２３】
図２に示す事例においては、本体部３をチューインガムにより形成し、突起５、５・・・をキャンディにより形成している。
【００２４】
突起５、５・・・を形成するキャンディは、弾力があり、やや堅く、簡単には溶けないものであることが望ましい。
【００２５】
本体部３を形成するチューインガムと突起５、５・・・を形成するキャンディとには、好ましくはキシリトール等の歯に良いとされる成分を含ませるものとする。
【００２６】
図４は、歯磨き体１を歯７、９により噛んでいる状態を示す。
【００２７】
図５は、歯磨き体１を口の中で転動させることにより、歯茎１３をマッサージしている状態を示す。
【００２８】
なお、符号１５に示すものは、歯磨き体１により除去される汚れである。
【図面の簡単な説明】
【００２９】
【図１】本考案による歯磨き体の一例を示す断面図である。
【図２】本考案による歯磨き体の別の一例を示す断面図である。
【図３】本考案による歯磨き体を示す斜視図である。
【図４】歯磨き体を歯により噛んでいる状態を示す断面図である。
【図５】歯磨き体を口の中で転動させることにより、歯茎をマッサージしている状態を示す断面図である。
【符号の説明】
【００３０】
１  歯磨き体
３  本体部
５  突起
７  歯
９  歯
１１  歯茎
１３  歯茎
１５  汚れ
【図１】
0003129283.tif 000003
【図２】
0003129283.tif 000004
【図３】
0003129283.tif 000005
【図４】
0003129283.tif 000006
【図５】
0003129283.tif 000007
(57)【要約】【課題】サドルを高く維持したまま高音域を弾きやすい弦楽器を提供することにある。【解決手段】ボディ２と、ボディ２の一方の側に取り付けられたネック３と、ネック３のほぼ先端からボディ２にかけて張られた弦４と、ネック３の主面上に形成されて演奏時に弦が擦り付けられる指板５とを備える弦楽器１において、前記指板５はネック３に密着し、指板５の表面がネック３の主面に対してボディ２に近づくにともなって高くなっていることを特徴とする。【選択図】図１
0003129290.tif 000002
【実用新案登録請求の範囲】
【請求項１】
ボディと、ボディの一方の側に取り付けられたネックと、ネックのほぼ先端からボディにかけて張られた弦と、ネックの主面上に形成されて演奏時に弦が擦り付けられる指板とを備える弦楽器において、
前記指板はネックに密着し、指板の表面がネックの主面に対してボディに近づくにともなって高くなっていることを特徴とする弦楽器。
【考案の詳細な説明】
【技術分野】
【０００１】
この考案は、弦楽器、特にウクレレに関する。
【背景技術】
【０００２】
一般に弦楽器は、両主面が平坦で平面視瓢箪形状のボディと、ボディの平面方向一方の側に取り付けられたネックと、複数本の弦と、ネックの主面上に形成されて演奏時に弦が擦り付けられる指板とを備える。弦は、ネックの先端のヘッドに各弦毎に取り付けられた糸巻きからボディに取り付けられたブリッジにかけて張られている。
従来の弦楽器はボディ表面とネック表面とが同一平面になっているか又は平行になっており、指板は長寸方向に一様な肉厚をなしてネック表面に設けられていた。一方、ブリッジには弦に張力を付与するためのサドルがボディ表面に垂直に突き出している。従って、弦は、ボディ及びネックの表面に対してブリッジに近づくほどに高くなっている。
【特許文献１】特開平１−２０２７９５
【特許文献２】実開昭５６−９６４９１
【特許文献３】実用新案登録２５５９７７９
【考案の開示】
【考案が解決しようとする課題】
【０００３】
しかし、前記のように弦がブリッジに近づくほど、すなわち高音域に行くほど高くなっていると、指で弦を指板に押さえつけるのに高音域の方が低音域よりも強い力を必要とし、高音域が弾きにくい。かといって、サドルを低くすると弦に十分な張力がかからなくなるため、弾ける良い音色が出なくなる。また、アコースティック電気弦楽器などにおいてはピックアップマイクがサドル下に装着されていることが多く、そのような場合はサドルを低くすると圧力低下のせいでバランス良く鳴らなくなる。
それ故、この考案の課題は、サドルを高く維持したまま高音域を弾きやすい弦楽器を提供することにある。
【課題を解決するための手段】
【０００４】
その課題を解決するために、この考案の弦楽器は、
ボディと、ボディの一方の側に取り付けられたネックと、ネックのほぼ先端からボディにかけて張られた弦と、ネックの主面上に形成されて演奏時に弦が擦り付けられる指板とを備える弦楽器において、
前記指板はネックに密着し、指板の表面がネックの主面に対してボディに近づくにともなって高くなっていることを特徴とする。
この考案の弦楽器によれば、指板の表面がネックの主面に対してボディに近づくにともなって高くなっているので、弦と指板との間隔は高音域に至ってもさほど広がらず、そのため高音域でも低音域と同程度の力で弦を指板に押さえつけることができる。また、指板はネックに密着しているので、押さえつけても撓むことが無く、弦を確実に指板に擦り付けることができる。
【考案の効果】
【０００５】
この考案の弦楽器によれば、高音域も低音域も同程度の力で弦を指板に確実に擦り付けることができるので、弾きやすい。
【考案を実施するための最良の形態】
【０００６】
図１は、この考案の実施形態の弦楽器であるウクレレを示す正面図である。ウクレレ１は、両主面が平坦で平面視瓢箪形状のボディ２と、ボディ２の平面方向一方の側に取り付けられた細長いネック３と、４本の弦４と、ネック３の主面上に形成されて演奏時に弦４が擦り付けられる指板５とを備える。
ボディ２の一方の主面にはサウンドホール８が開けられている。サウンドホール８を間にしてその主面上におけるネック３と反対側の位置にブリッジ９が取り付けられている。ブリッジ９にはサドル１０が差し込まれている。一方、ネック３の先端のヘッド１１には各弦毎に糸巻き６が取り付けられ、糸巻き６から少しボディ２寄りにナット７が取り付けられている。弦４は、一端がブリッジ９に固定され、サドル１０及びナット７を跨いで他端が糸巻き６にて巻かれることにより、引っ張られている。
【０００７】
ボディ２のサウンドホール側の主面とネック３の主面とは連続して同一平面をなし、ネック３の主面上に指板５が接着剤にて固定されている。指板５は、ボディ２に近づくに伴って肉厚となっている。サドル１０の高さはナット７の高さよりも高く、弦に対して十分な張力が付与されるようになっているが、指板５が次第に肉厚になっているので、弦４と指板５との間隔はボディ２付近でもさほど広くはない。従って、高音域でも低音域と同程度の軽い力で弦４を指板に押さえつけることができる。
尚、指板５の表面には通常２０本のフィレット（図示省略）が埋め込まれているが、最も高温側の３本（No.18-20）は、演奏上使用することがほとんどなく、かえって邪魔になるので、取り除いておき、代わりに装飾インレイを指板５の表面と同一平面をなすように埋めておくと良い。
【図面の簡単な説明】
【０００８】
【図１】実施形態の弦楽器を示す正面図である。
【符号の説明】
【０００９】
１  弦楽器（ウクレレ）
２  ボディ
３  ネック
４  弦
５  指板
６  糸巻き
７  ナット
８  サウンドホール
９  ブリッジ
１０  サドル
１１  ヘッド
【図１】
0003129290.tif 000003
(57)【要約】【課題】  本考案はペット動物が寝たきりになり、足腰及び自分の足で立つことを忘れさせない為のリハビリ器具である【解決手段】  本考案は、動物の体全体を覆う布地で４角隅から垂らしてあるワイヤーで動物体全体を包み（８０〜９０％）吊り上げ、足腰に負担をかけないよう自身の足で地面に立っている状態つくる【選択図】図１
0003129240.tif 000002
【実用新案登録請求の範囲】
【請求項１】
動物を覆う為の布地を４本角隅から垂らしたワイヤーで上方向に８０〜９０％の割合で体重を吊り上げ、１０〜２０％の体重で、足を地面に着けて（立たして置く・歩かせる）寝たきりにさせない、足を細くさせない為のペット用リハビリ歩行器具
【考案の詳細な説明】
【技術分野】
【０００１】  本考案は、動物の体全体を覆う布地で４角隅から出ているワイヤーで、８０〜９０％の割合で吊り上げ体重を軽減し、自分の足では立たない・立てない、また寝たきりにさせないに関するものである。
【背景技術】
【０００２】  老衰及び疾病・・従来、動物が立って歩く為の補助器具（リハビリ用）に関するものが、なかった
【考案の開示】
【考案が解決しようとする課題】
【０００３】  リハビリ器具は、動物が立っている力・歩ける力がまだ残っているのに、寝たきりにさせない。立って歩くことを忘れさせない。また、足を細くさせない
【課題を解決するための手段】
【０００４】  ４本角隅からワイヤーをたらし、動物を支える布地でからだ全体を覆い体重８０〜９０％位軽減し、前足後ろ足を地面に着ける【０００５】  縦の４本の支え棒は伸び縮みが可能で、自身の体重をどれ位の配分にするか調整できる
【図面の簡単な説明】
【０００６】  以下、添付図面に従って一実施例を説明する。
【図１】  ペット用リハビリ歩行器具を示した正面図である
【図２】  ペット用リハビリ歩行器具を示した側面図である
【符号の説明】
【０００７】  １  リハビリ器具本体
２  伸び縮み調整摘み
３  動物支える箇所
４  紐
５  車輪
６  布地
【図１】
0003129240.tif 000003
【図２】
0003129240.tif 000004
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
小動物を覆う為の布地を、固定された柱４本角隅から垂らしたワイヤーで、上方向に体重を吊り上げ、１０〜２０％の体重で足を地面に着けて、寝たきりにさせない為のペット用リハビリ歩行器具
(57)【要約】【課題】ビタミンＣのような脱カルキ性のある水溶性有機抗酸化剤を少しずつ長期間放出し得るような通水カートリッジ用機能性グッズを提供する。【解決手段】水溶性有機抗酸化剤１と非水溶性無機鉱物２との混合物をエマルジョン系バインダー３で結合し粒状体に形成して、本考案の通水カートリッジ充填用ビーズＡとする。その際、上記の粒状体の多数の集合物を通水性の袋４内に収めた商品形態にしてもよい。【選択図】図１
0003129237.tif 000002
【実用新案登録請求の範囲】
【請求項１】
水溶性有機抗酸化剤と非水溶性無機鉱物との混合物をエマルジョン系バインダーで結合し粒状体に形成して成る通水カートリッジ充填用ビーズ。
【請求項２】
請求項１記載の粒状体の集合物を通水性の袋内に収めて成る通水カートリッジ充填用ビーズ。
【考案の詳細な説明】
【技術分野】
【０００１】この考案は、水質改善のためにシャワーヘッド等に設けられる通水カートリッジ内に充填する粒（ビーズ）状の機能グッズに関する。
【背景技術】
【０００２】いわゆる浄水器などにおけるカートリッジ内には、活性炭や亜硫酸カルシウムなど、水道水中に含まれる有害不純物やカルキ等を除去する機能材料が充填されているのは周知の通りである。これらの機能材料のうち、例えばビタミンＣ（アスコルビン酸又はアスコルビン酸ナトリウム）などの水溶性有機抗酸化剤は人体に無害で一般にカルキ除去機能にも優れることから、近年、これらをかかるカートリッジ、とりわけシャワー機器のヘッド部（本考案ではこれも通水カートリッジの一種とみなす）の内部に収め或いは滲出させるようにして、髪の傷み予防やスキンケアなどに役立てようとする試みがみられる。
【考案の開示】
【考案が解決しようとする課題】
【０００３】上記のように在来のシャワーヘッド等においてビタミンＣなど水溶性有機抗酸化剤を作用させることはかなり難しく、これを単に混合するのみでは速やかに溶解流出してしまうから、これを少しずつ滲出させるためには徒に装置が複雑化したり不安定化し、高コストになるなどの問題点があった。本考案はかかる問題点を解決することを課題とする。
【課題を解決するための手段】
【０００４】水溶性有機抗酸化剤１と非水溶性無機鉱物２との混合物をエマルジョン系バインダー３で結合し粒状体に形成して、本考案の通水カートリッジ充填用ビーズＡとする。【０００５】その際、上記の粒状体の多数の集合物を通水性の袋４内に収めた商品形態とし、これをもって本考案の通水カートリッジ充填用ビーズＡとしてもよい。【０００６】非水溶性無機鉱物２としては、用途上、人体に無害なものにすべきことは言うまでもないが、更に必要なミネラル成分に富み、水のクラスターを細かくしたり酸化還元電位を低くするような機能性を有するものが好ましい。これらは既に各種の薬石やセラミック材料等として使われているものを踏襲すればよい。【０００７】エマルジョン系バインター３としては甚だ各種のものがあるが、これも用途上、人体に無害であって、硬化後に実用上十分な耐水性を保持しうるものにすべきである。例えばアクリル系のものは概ね良好であるが、試作・実験によれば、これを用いてビタミンＣや粉末状セラミック材料等を混練し造粒して乾燥・硬化させたものは、長期にわたって十分な耐水性を維持すると同時に、硬化したバインダーであるエマルジョン樹脂特有の物性である水溶成分透過性により、微量ずつビタミンＣを外部に滲出・流出させ、それがちょうど実用性を満たすに足る量と有効期間を達成できることが判明した。
【考案の効果】
【０００８】本考案によれば、人体に無害で抗酸化作用やカルキ除去などの機能性の高い水溶性の有機物質をシンプルで扱いやすい非水溶性のビーズ形態にしたから、これを例えばシャワーヘッド部分の内部空間に収めるだけで、微量ずつ長時間にわたって機能性水溶成分を水に与え続けることができるという効果がある。
【考案を実施するための最良の形態】
【０００９】例えば珪石、トルマリン、モザナイト、ジルコン、酸化コバルト、酸化アルミニウム、酸化マグネシウム、酸化第二鉄などの、遠赤外線やイオン化に関する機能をもつとされる非水溶性無機鉱物２の粉末に少量のアスコルビン酸ナトリウムの如き水溶性有機抗酸化剤１を加えてアクリル系エマルジョンのようなエマルジョン系バインダー３で混練し、これを直径約３ｍｍの球状体に造粒して８０〜２００℃程度で乾燥させ、得られた粒（ビーズ）を数百個ずつ薄手の不織布からなる通水性の袋４内に収めてウェルダー封閉し、本考案の通水カートリッジ充填用ビーズＡとする。これを例えばシャワーヘッド５の下部に設けられたカートリッジ６内に収容して使用する（図３）。
【産業上の利用可能性】
【００１０】本考案の通水カートリッジ充填用ビーズは、既存の製造技術により安定的に量産でき、使い易くニーズも高いから、産業上の利用可能性は十分にある。
【図面の簡単な説明】
【００１１】
【図１】本考案の一部拡大断面図
【図２】本考案の別形態の全体見取図
【図３】本考案の使用状態の例を示す見取図
【符号の説明】
【００１２】  １……水溶性有機抗酸化剤
２……非水溶性無機鉱物
３……エマルジョン系バインダー
４……通水性の袋
５……シャワーヘッド
６……カートリッジ
Ａ……通水カートリッジ充填用ビーズ
【図１】
0003129237.tif 000003
【図２】
0003129237.tif 000004
【図３】
0003129237.tif 000005
【手続補正書】
【提出日】平成18年10月27日(2006.10.27)
【手続補正１】
【補正対象書類名】実用新案登録請求の範囲
【補正対象項目名】全文
【補正方法】変更
【補正の内容】
【実用新案登録請求の範囲】
【請求項１】
水溶性有機抗酸化剤と非水溶性無機鉱物との混合物をエマルジョン系バインダーで結合し粒状体に形成して成る通水カートリッジ充填用ビーズ。
【請求項２】
請求項１記載の粒状体の集合物を通水性の袋内に収めて成る通水カートリッジ充填用袋体。
【手続補正２】
【補正対象書類名】明細書
【補正対象項目名】０００５
【補正方法】変更
【補正の内容】
【０００５】その際、上記の粒状体の多数の集合物を通水性の袋４内に収めた商品形態とし、これをもって本考案の通水カートリッジ充填用袋体Ａとしてもよい。
【手続補正３】
【補正対象書類名】明細書
【補正対象項目名】００１２
【補正方法】変更
【補正の内容】
【００１２】  １……水溶性有機抗酸化剤
２……非水溶性無機鉱物
３……エマルジョン系バインダー
４……通水性の袋
５……シャワーヘッド
６……カートリッジ
Ａ……通水カートリッジ充填用ビーズないし袋体
(57)【要約】【課題】身体に装着したままで収納物を容易に取り出す事ができ、簡単に脱着できる方法を提供する。【解決手段】スボンやスカートのウエスト部分にのサスペンダークリップ２と３を挟み込み４を３の方向に押しつけてパチンと固定する。もう片方のサスペンダクリップも同様に固定する。開口部分の蓋７を開け閉めするだけで収納物を出し入れする事が出来る。【選択図】図３
0003129238.tif 000002
【実用新案登録請求の範囲】
【請求項１】
携帯電話や小物などの収納物を入れるケース部と、このケース部の背面側に設けた一対のサスペンダークリップからなり、このサスペンダークリップをズボンやスカートのウエスト部分に装着する事を特徴とする小物入れ。
【請求項２】
請求項１の小物入れにおいて、所定の間隔だけ離してサスペンダークリップを一対備える事を特徴とする小物入れ。
【考案の詳細な説明】
【技術分野】
【０００１】本考案は、物入れに関し、携帯電話やの小物を入れるのに適したものに関する。
【背景技術】
【０００２】従来、携帯電話や小物を入れるのに適した小物入れとしては、ベルトを利用して装着するもの、首からかける物、又はスボンやスカートのウエストのベルト通しを利用してそこに引っかけて使用する物などが一般的にとなっている。
【考案の開示】
【考案が解決しようとする課題】
【０００３】しかしながら上述した従来のタイプの小物入れは、胸ポケットがない場合やベルトを使用しない場合などは使用できない。ポシェットであればブラブラしていて安定性がなく、ドアノブなどに引っかけてしまったりする事がある。ウエストポーチであれば人によっては腰に巻き付く違和感があったり、小物だけ入れるにわざわざ腰に巻き付けるには面倒と言う問題がある。【０００４】本考案はこのような問題を解決し、収納物を入れて簡単に脱着できる小物入れを提供する事を目的とする。
【課題を解決するための手段】
【０００５】本考案の請求項１に係わる小物入れは上記目的を達成するために、携帯電話等の収納物を入れるケース部と、背面側に設けた一対のサスペンダークリップからなり、このサスペンダークリップをスカートやズボンに取りつけて脱着させる事を特徴とする。【０００６】同請求項２に係わるものは、請求項１の小物入れにおいてサスペンダークリップを所定の間隔だけ離して一対付ける事を特徴とする。
【考案の効果】
【０００７】本考案の小物入れは子供や老人でも簡単に脱着出来る。走ったりしても落ちる事なく、かがんだりしても体も収納物も圧迫される事なく、特に携帯電話はかがんだりした時の圧迫でガラス面にヒビの入ったりする心配がいらない非常に便利なものである。
【考案を実施するための最良の形態】
【０００８】以下本考案を実施するための最良の形態を図に示し、実施例を参照して説明する。
【実施例】
【０００９】図１は本考案に使用する一般的なサスペンダークリップであり、図２は装着する前の小物入れの正面図、図３は装着する前の小物入れ背面図、図４は小物入れを装着した状態の斜面図、図５は女の子が動物型の小物入れを装着した時の斜面図である。【００１０】この小物入れ９は携帯電話や小物が入るサイズのケース部８と、このケース部背面側に付けた一対のサスペンダークリップ５とから構成してある。ケース部８の素材については用途に合わせて選択する事ができる。携帯電話を入れる目的であればデニム地やクッション性のある素材、動物型であれば手持ちの素材を利用したり、若い女性であればビーズが付いたおしゃれなものなど様々なものが利用できる。【００１１】サスペンダークリップ５は図示の実施例のように所定の間隔だけ離して、一対つけるるのが望ましく小物入れと体との安定性も良い。【００１２】サスペンダークリップ５は、あらかじめ図２の６の位置に図１の１のリング部分を差し込み出来る位の幅のリング部通り口６を開けておく。ここに図１の１のリング部分をケース部８の背面から内側に通す。この時通り穴部分のほずれを防ぐためリング通り口６をボタンホールにするか、又は図１の１のリング部分を通した後、縫いつけてふさいでしまう。【００１３】図３において、サスペンダークリップ５を動かないように固定するためケース部８に図３の２の部分とを縫いつけて固定する。【００１４】開口１０は図２の７のような蓋にマジックテープやボタンを取り付けたり、開口１０をファスナーにする事もできる。【００１５】この小物入れ９の使用形態を説明する。図４や図５のようにスボンやスカートのウエスト部分に図３のサスペンダークリップ２と３を挟み込み４を３の方向に押しつけてパチンと固定する。もう片方のサスペンダクリップも同様に固定する。装着後はサスペンダークリップ５は正面から見えず、大変スッキリとしている。【００１６】収納物を出し入れしたい時は、開口部分の蓋７を開け閉めするだけで出し入れが出来、出来、大変簡単で便利でありしかも安全である。
【図面の簡単な説明】
【００１７】
【図１】本考案に使用する一般的なサスペンダークリップ
【図２】小物入れの正面図
【図３】小物入れの背面図
【図４】スボンに装着した時の斜視図
【図５】女の子がスカートに動物型を装着した時の斜視図
【符号の説明】
１．サスペンダークリップのリング部
２．サスペンダークリップの受け側
３．サスペンダークリップの押さえ歯
４．サスペンダークリップの留め金
５．サスペンダークリップの全体図
６．サスペンダークリップのリング部通り口
７．小物入れケース部の開口部分の蓋
８．小物入れケース部
９．小物入れ
【図１】
0003129238.tif 000003
【図２】
0003129238.tif 000004
【図３】
0003129238.tif 000005
【図４】
0003129238.tif 000006
【図５】
0003129238.tif 000007
【手続補正書】
【提出日】平成18年10月26日(2006.10.26)
【手続補正１】
【補正対象書類名】明細書
【補正対象項目名】００１４
【補正方法】変更
【補正の内容】
【００１４】開口１０は図２の７のような蓋にマジックテープ（登録商標）やボタンを取り付けたり、開口１０をファスナーにする事もできる。
(57)【要約】      （修正有）【課題】従来の警告看板と異なる看板を創造した。【解決手段】平面または立体のお地蔵さんの形をした正面前半部。その周囲、特にその下部に警告用の文言を入れるスペース。上記の構造物を固定して、杭やその他の固定具を取り付けできる台座部。以上より構成される注意警告看板。【選択図】図２
0003129231.tif 000002
【実用新案登録請求の範囲】
【請求項１】
お地蔵さんの形をした平面の絵、またはその立体レリーフの造型とその周囲、特にその下部に注意や警告の文言を入れてその目的を達成しようとする注意警告看板である。
【考案の詳細な説明】
【技術分野】
【０００１】この考案は、新規の警告看板である。
【背景技術】
【０００２】従来の物は、ほとんど、文字中心のポスター様の警告看板である。
【考案の開示】
【考案が解決しようとする課題】
【０００３】注意、警告の効果をより向上させる意味で本考案をした。
【課題を解決するための手段】
【０００４】１．  お地蔵さんがお祈りをして訴えかける形が平面又は立体的に造型し、
２．  この周囲、特に下部に環境美化など社会問題化しているモラル向上などの文言を入れるスペースを備えており、
３．  この文言部は、用途に応じて替えられるようにしたもの。
以上から構成される警告用途の看板である。
図１．  はその形状をあらわしている使用例
図２．  は本考案の内部構造等それぞれの構成部をあらわしている
【考案の効果】
【０００５】以下、本考案の実施の形態について説明する。
（イ）お地蔵さんが祈りをしている形状で、平面状または立体レリーフ状の構造物である。
（ロ）その周囲又は下部に文言を入れる部を備える。
（ハ）看板として取り付け、設置できる仕様を施してある。
【考案を実施するための最良の形態】
【０００６】このような絵と形状にすることにより、より効果のある警告看板となる。従来のものは、文字中心で印象が薄く、現にゴミ捨て禁止の看板があるにもかかわらず、ゴミが捨てられている。  そこで、本考案のような、古来から崇拝され民間信仰の対象で広く知られるお地蔵さんを図化して使用することで良心に訴えかけて、モラルの向上、維持を図るもので、捨てにくい、汚しにくい、等々の感情を呼び起すことができるので従来の考案品とまったく異なったものである。ゴミの警告表示のみでなく、犬の糞の処理等々、警告の文言を替えることで色々使用できる。
【実施例】
【０００７】以下、添付図面に従って実施例を説明する。
お地蔵さんが祈っている形の図柄または形状で、
（Ａ）平面状または立体式のお地蔵さんの正面前半部
（Ｂ）下部に文言を入れる部
（Ｃ）看板として固定、設置できる台座部
より構成される構造物である。【０００８】（Ａ）部は、お地蔵さんに見える形状と素材に配慮する。  （Ｂ）は、そのまま直に文言を書くか、差し替えできる仕様にする。
（Ｃ）部は、上記の構造物を看板として使用するため、杭等を付けたりできる固定の台座となる部である。
【図面の簡単な説明】
【０００９】図１．はその形状をあらわしている使用例である。
図２．は本考案の内部構造等、それぞれの構成部をあらわしている。
【符号の説明】
【００１０】符号（Ａ），平面または立体式のお地蔵さんの正面前半部をあらわす。
符号（Ｂ），その下部の文言を入れる部をあらわす。
符号（Ｃ），上記の構造物を固定し看板として使用できる仕様の台座部。
【図１】
0003129231.tif 000003
【図２】
0003129231.tif 000004
【手続補正書】
【提出日】平成18年9月18日(2006.9.18)
【手続補正１】
【補正対象書類名】実用新案登録請求の範囲
【補正対象項目名】全文
【補正方法】変更
【補正の内容】
【実用新案登録請求の範囲】
【請求項１】
お地蔵さんの形をした立体レリーフの造型とその周囲、特にその下部に注意や警告の文言を入れてその目的を達成しようとする注意警告看板。
(57)【要約】【課題】本考案は、傘に鍵穴を開ける方法で、容易に施錠が可能になり盗難、紛失を防止する。【解決手段】本考案は、中棒４と轆轤部２に傘を閉じた状態で鍵穴３を開け施錠可能にした。施錠により盗難、紛失防止に役立つ。【選択図】図１
0003129239.tif 000002
【実用新案登録請求の範囲】
【請求項１】
傘に鍵穴を開ける事で盗難や間違いを防ぐことができる。
【考案の詳細な説明】
【技術分野】
【０００１】本考案は、鍵穴を開け開閉機能を制限する傘に関するものである。
【背景技術】
【０００２】鍵付の傘立が無い場所では、盗難や間違えられることが多い。
【考案の開示】
【考案が解決しようとする課題】
【０００３】従来傘は容易に盗まれる。鍵付傘立は、経済的負担が大きくスペースも必要となり設置場所も限られる。自己防衛策として傘本体に施錠することで盗難や間違いでのトラブルを解決する。
【問題を解決するための手段】
【０００４】本考案は、傘轆轤部分と中棒部分に鍵穴を開け、南京錠等を穴に通し開閉機能を制限し問題点を解決する。
【考案の効果】
【０００５】上述のように、本考案は鍵付傘ではなく鍵穴付傘の方法を考案している。施錠ができることで間違いや盗難などが減り、置忘れても傘が戻る確立が高くなり同じ傘を長く使用できる。本考案は、鍵穴付傘なので専用の鍵は無く一般既製品の錠前を使用できるので錠前等など関連した新製品も期待でき、発展性は大きく構造的に簡単で加工コストが安価なのもメリットである。
【考案の実施するための裁量の形態】
【０００６】傘を閉じた状態で柄から伸びる中棒部分と轆轤部分に穴を開け鍵穴とする。
【実施例】
【０００７】３の穴に６の南京錠等を通す。
【図面の簡単な説明】
【０００８】
【図１】本考案の鍵穴付傘の側面図である。
【図２】本傘の一部切欠断面図である。
【符号の説明】
【０００９】１、傘の柄
２、轆轤
３、鍵穴
４、中棒
５、骨
６、南京錠
【図１】
0003129239.tif 000003
【図２】
0003129239.tif 000004
【手続補正書】
【提出日】平成18年10月27日(2006.10.27)
【手続補正１】
【補正対象書類名】実用新案登録請求の範囲
【補正対象項目名】全文
【補正方法】変更
【補正の内容】
【実用新案登録請求の範囲】
【請求項１】
傘の轆轤と中央部分に鍵穴を開け施錠できる事で盗難や間違いでの紛失を妨げることを特徴とする鍵穴付傘。
(57)【要約】【課題】ＣＤレコード紙ジャケット専用カバーにおける、日常使用時の不便さや保存時の問題点を解消すること。【解決手段】本考案は、紙ジャケット本体全体に直接装着する筒状のカバーであるため、ＣＤを聴く際、直接カバーからＣＤ盤を取り出すことが可能で、取り出す際にジャケットを破損する心配もない。装着後は、ほこり等が直接ジャケット本体に付着することも無く、自由にジャケットを手にとって音楽を楽しむことが可能。また、シール等で接着せずに装着するため、カバー自体の経年変化も無く、ＣＤ盤とともに、ジャケット本体をいつまでも新品同様のまま、保持できるものである。【選択図】図１
0003129254.tif 000002
【実用新案登録請求の範囲】
【請求項１】
ＣＤレコード紙ジャケット本体全体を直接カバーすることが可能な方形の筒状で、その正面右端の一辺に開口部があり、開口部分の表面、裏面にそれぞれフラップのついた形状で、そのフラップを紙ジャケット本体の開口部内側に折込み、シール等による接着をせずに、簡単かつ完全に装着可能なことを特徴とするＣＤレコード紙ジャケット専用カバー。
【請求項２】
請求項１記載のＣＤレコード紙ジャケット専用カバーにおいて、そのサイズをダブルサイズ見開き紙ジャケット専用とし、日常使用かつ保存用に、厚みと透明度、耐久性を考慮し、ＯＰＰ等適宜素材を使用したカバー。
【請求項３】
請求項１記載のＣＤレコード紙ジャケット専用カバーにおいて、そのサイズをシングルサイズ紙ジャケット専用とし、日常使用かつ保存用に、厚みと透明度、耐久性を考慮し、ＯＰＰ等適宜素材を使用したカバー。
【考案の詳細な説明】
【技術分野】
【０００１】  本考案は、現在ブームを呼んでいる、アナログＬＰレコード復刻版ＣＤレコード紙ジャケットのジャケット本体全体をカバーする、日常使用かつ保存用の専用カバーに関するものである。
【背景技術】
【０００２】  現状のＣＤレコード紙ジャケット用カバーの場合、ＣＤを聴く際に、カバーからその都度、紙ジャケット本体を取り出し、それからいちいちジャケットからＣＤ盤を取り出す必要がある。
【考案の開示】
【考案が解決しようとする課題】
【０００３】  現状のＣＤレコード紙ジャケット用カバーは、紙ジャケット本体からＣＤ盤を取り出す際に、いちいちカバーから紙ジャケットをいったん取り出す必要があるため、非常に不便で、また取り出す際に、紙ジャケットの角が傷んだり、紙ジャケット表面に指紋等汚れがつくことも多く、日常使用や保存用に大きな問題がある。従って、紙ジャケット本体全体に直接カバーすることで、前述の問題点を解決しようとするものである。
【課題を解決するための手段】
【０００４】  本考案は、ＣＤレコード紙ジャケット本体全体を直接、完全にカバーする筒状の紙ジャケット専用のカバーとしたため、ＣＤを聴く際に、すぐにＣＤ盤を紙ジャケット本体より直接取り出すことが可能。また、ジャケットを直接手にとってもジャケット本体に傷や汚れをつける心配も無く、前述の問題点を解決している。
【考案の効果】
【０００５】  上述の様に、本考案は、ＣＤレコード紙ジャケット本体全体を直接カバーする筒状のカバーであるため、装着後は、ＣＤを聴く際に、いちいちカバーから、まず紙ジャケット本体を取り出し、さらに紙ジャケットからＣＤ盤を取り出す必要が無く、また、ジャケットを取り出す際の汚れや、傷みの心配も一切無く、汚れることを気にせずに、自由に紙ジャケットを手にとって音楽を楽しむことが可能である。さらに、紙ジャケット本体全体を筒状に完全にカバーするので、保存の際も、ほこり等が紙ジャケットに付着する心配も一切無く、また、シール等による接着を一切せずに装着できるため、カバー面の経年変化がなく、ジャケット本体をいつまでも新品同様のまま、保持できるものである。
【考案を実施するための最良の形態】
【０００６】  紙ジャケット本体より、内袋に入ったＣＤ盤を内袋ごと取り出し、紙ジャケット本体を本考案の筒状カバー開口部より内側奥まで挿入し、紙ジャケット本体全体にカバーする。カバー開口部分の表面と裏面のフラップ２枚を紙ジャケット本体の開口部に合わせて、それぞれ表面、裏面より内側に折り込み完全に装着する。フラップにより装着することで、本考案カバーが紙ジャケット本体からずれることを防止し、かつ、フラップがすべりとなってＣＤ盤をスムーズに出し入れすることが可能である。
ＣＤレコード紙ジャケットは、基本的に、シングルサイズ紙ジャケット、ダブルサイズ見開き紙ジャケットの２種類があるが、本考案は、それぞれに対応する２種類のサイズで、厚みと透明度、耐久性を考慮し、ＯＰＰ等適宜素材を使用した紙ジャケット専用のカバーとする。
【実施例】
【０００７】  以下、添付図面に従って実施例を説明する。１は、日常使用かつ保存用に厚みと透明度、耐久性を考慮し、ＯＰＰ等適宜素材を使用した本考案のＣＤレコードダブルサイズ見開き紙ジャケット専用の筒状カバーである。形状は、方形の筒状で、その正面右端の一辺に開口部があり、開口部分の表面、裏面にそれぞれ、２ａ、２ｂのフラップがある。実際の使用の際は、同カバー１正面右側開口部より、ＣＤレコードダブルサイズ見開き紙ジャケット本体３を見開いた状態でカバー１の内側左奥まで挿入後、２ａ、２ｂをそれぞれ紙ジャケット本体３のＣＤ盤を取り出す開口部分内側に折込み、図のように、紙ジャケット本体全体を完全に覆うように装着する。
【図面の簡単な説明】
【０００８】
【図１】本考案のＣＤレコードダブルサイズ見開き紙ジャケット専用カバー正面図である。
【図２】本カバー開口部分フラップの拡大図である。
【図３】ダブルサイズ見開き紙ジャケットに本考案カバーを装着した図である。
【図４】本考案のＣＤレコードシングルサイズ紙ジャケット専用カバー正面図である。
【図５】シングルサイズ紙ジャケットに本考案カバーを装着した図である。
【符号の説明】
【０００９】１    ＣＤレコードダブルサイズ見開き紙ジャケット専用カバー本体
１ａ  ＣＤレコードシングルサイズ紙ジャケット専用カバー本体
２ａ  カバー開口部表面フラップ
２ｂ  カバー開口部裏面フラップ
３    ＣＤレコードダブルサイズ見開き紙ジャケット本体
３ａ  ＣＤレコードシングルサイズ紙ジャケット本体
【図１】
0003129254.tif 000003
【図２】
0003129254.tif 000004
【図３】
0003129254.tif 000005
【図４】
0003129254.tif 000006
【図５】
0003129254.tif 000007
(57)【要約】【課題】  放射性同位元素を用いた水分密度計および水分計において、従来技術での線源棒の紛失防止対策では湿潤土壌等の如くその環境が絶縁抵抗上適さない場所では誤作動が生じるおそれがあった。本考案は外部に電気スイッチを設けないことで従来技術の問題点を解決し、環境に影響されずに計器本体より線源棒を取外した際に、線源棒離脱を表示灯やブザーで示して線源棒の紛失を防止する。【解決手段】線源棒２の端面に永久磁石３を取付け、計器本体１の内底にリードスイッチ５を配置する。永久磁石３がリードスイッチ５に近接・離反によりリードスイッチ５が電気回路の開閉となり離反時には回路に組込まれた表示灯７やブザー８が点滅し線源棒が計器本体と分離状態であることを取扱者に視聴覚的警告をなし、線源棒の紛失を防止する。【選択図】図１
0003129260.tif 000002
【実用新案登録請求の範囲】
【請求項１】
線源棒に永久磁石を配置し、計器本体にリードスイッチを配置することで線源棒の計器本体からの離脱を表示灯やブザーで示すことを特徴とした放射性同位元素を用いた水分密度計および水分計。
【考案の詳細な説明】
【技術分野】
【０００１】  放射性同位元素を用いた土壌等の水分と密度を計測するための水分密度計および水分を測定する水分計に関するものである。
【背景技術】
【０００２】  放射線を利用した土壌等の水分密度計は、計器本体とステンレス鋼に放射性同位元素が封入された線源棒を組込み使用されている。土壌測定の際に線源棒は計器本体に装着されるが、測定地点の自然放射線の線量率も測定する必要がありこの際には計器本体から線源棒を２０ｍ隔離する。従って、計器本体と線源棒は着脱できる構造になっている。線源棒は比較的小物である為に作業の終了時に紛失する可能性があり安全上線源棒の紛失防止のために線源棒を計器本体から取外した時に線源棒離脱をランプやブザーで表示する必要がある。この表示機構として従来技術で計器本体の線源装着部と線源棒に電気的スイッチ機構を持つものがあるが湿潤土壌では十分に機能しない。
【考案の開示】
【考案が解決しようとする課題】
【０００３】  前述のように従来技術は、計器本体の線源棒装着部と線源棒の間に電気的スイッチを構成し線源棒の着脱によりスイッチの開閉を行なうものであり湿潤土壌ではスイッチ部の絶縁抵抗が阻害され、線源棒が離脱された状態でも装着を示すおそれがある。そこで、湿潤土壌でも確実に表示することで前述の問題点を解決しようとするものである。
【課題を解決するための手段】
【０００４】  本考案は、線源棒の計器本体側端部に永久磁石を埋め込み、計器本体内部の線源棒取付け部に対応した位置にリードスイッチを配置する。リードスイッチと計器本体内蔵の電池と表示灯及びブザー又はそのいずれかで回路を構成する。表示灯やブザーは計器本体の見やすい適切な位置に配置する。この電気回路は線源棒を装着した時に開回路となり線源棒を離脱した時に閉回路となるように構成する。これにより湿潤土壌に接する部位に電気接点が無く前述の課題を解決している。
【考案の効果】
【０００５】  上述のように、計器本体と線源棒の外部に電気接点が無く測定現場が湿潤土壌でも線源棒が離脱状態であることを自動的かつ確実に計器本体の表示灯やブザーが示す。昼夜を問わず取扱者や周囲の作業者に線源棒が離脱状態であることを警告するので線源棒の紛失防止に効果がある。
【考案を実施するための最良の形態】
【０００６】  線源棒の計器本体側端部の中心部に丸型永久磁石を埋め込む。計器本体内底の線源棒取付け位置に対応する周辺でリードスイッチの動作特性を配慮した所にリードスイッチを配置する。リードスイッチと計器本体内蔵電池および表示灯やブザーでリードスイッチに線源棒の永久磁石が近接した時に電流が遮断される電気回路を構成する。即ちリードスイッチから線源棒の永久磁石が遠去かった時に通電し表示灯やブザーが作動する。
【実施例】
【０００７】  以下、添付図面に従って一実施例を説明する。線源棒２のネジ側端面を穿孔し、永久磁石３を埋め込み固定する。線源棒２の取付け位置に対応する計器本体１の内底にリードスイッチ５をその動作特性を配慮した位置に配置する。リードスイッチ５に表示灯７、ブザー８および計器本体内蔵電池で電気回路を構成する。この電気回路は線源棒２が計器本体の線源棒取付け部材６に装着された時、即ち永久磁石３がリードスイッチに近接したら回路が遮断され、線源棒２が計器本本体１から離脱した時に回路に電気が導通する構造とする。
【図面の簡単な説明】
【０００８】
【図１】  計器本体に線源棒を装着した状態の正面図である。
【図２】  計器本体の線源棒装着部周辺の拡大断面図である。
【図３】  線源棒の断面図を示す。
【符号の説明】
【０００９】  １    計器本体
２    線源棒
３    永久磁石
４    放射性同位元素
５    リードスイッチ
６    線源棒取付け部材
７    表示灯
８    ブザー
９    部材取付けボルト
【図１】
0003129260.tif 000003
【図２】
0003129260.tif 000004
【図３】
0003129260.tif 000005